(57)【特許請求の範囲】
【請求項１】
記憶装置と、
オペレータからの操作入力に従って、新聞紙面に掲載する少なくとも記事、画像、写真からなる複数の素材を各紙面に割り当て、前記割り当てられた素材が各紙面上に配置された状態の情報を含む紙面データを作成し、作成した紙面データを前記記憶装置に格納する素材配置手段と、
前記記憶装置に格納された複数の紙面データに基づいて、前記複数の紙面データに対応する各紙面上にそれぞれ配置された同一素材を検出し、前記同一素材が記事である場合には、配置文字列量の相違を検出し、前記同一素材が画像または写真である場合には、大きさ、トリミング枠、および色区分のうちの何れかの相違を検出する相違検出手段と
を備えた新聞紙面の制作システム。
【請求項２】
オペレータからの操作入力に従って、新聞紙面に掲載する少なくとも記事、画像、写真からなる複数の素材を各紙面に割り当て、前記割り当てられた素材が各紙面上に配置された状態の情報を含む紙面データを作成することにより新聞紙面を制作する新聞紙面の制作システムに適用され、
複数の紙面データに基づいて、前記複数の紙面データに対応する各紙面上にそれぞれ配置された同一素材を検出し、前記同一素材が記事である場合には、配置文字列量の相違を検出し、前記同一素材が画像または写真である場合には、大きさ、トリミング枠、および色区分のうちの何れかを検出するようにした新聞紙面の同一素材差異検出方法。
【請求項３】
複数の新聞紙面上に配置された同一素材の配置状態の相違を検出するコンピュータ読み取り可能なプログラムであって、
新聞紙面に掲載する少なくとも記事、画像、写真からなる複数の素材が紙面上に配置された状態の情報を含む紙面データを格納する記憶装置から、複数の紙面データを取得する機能、
前記取得された複数の紙面データに基づいて、前記複数の紙面データに対応する各紙面上にそれぞれ配置された同一素材を検出する機能、
前記検出された同一素材が画像もしくは写真であるか、あるいは記事であるかを判別する機能、
前記判別された同一素材が記事である場合には、配置文字列量の相違を検出し、前記同一素材が画像または写真である場合には、大きさ、トリミング枠、および色区分のうちの何れかの相違を検出する機能
をコンピュータに実現させるための新聞紙面の同一素材差異検出プログラム。
【発明の詳細な説明】
【０００１】
【発明の属する技術分野】
本発明は、主に新聞社や印刷会社において使用される新聞紙面の制作システム、複数紙面上に配置された同一素材の配置状態の相違を検出する新聞紙面の同一素材差異検出方法、ならびに同一素材差異検出プログラムに関する。
【０００２】
【従来の技術】
一般に、中央に本社を持つ新聞社では、全国紙のような共通紙の一部に、地方の読者のために特に設けたその地方独特の記事を掲載する紙面である地方紙を設けて新聞を発行している。
【０００３】
このような地方紙は、各地方向けに例えば地方紙Ａ、地方紙Ｂ、地方紙Ｃなど個別に作成されている。各地方紙の紙面は、どの地方紙の紙面にも共通して掲載される共通素材と、その地方だけにしか掲載されない固有素材とで構成されている。
【０００４】
【発明が解決しようとする課題】
しかしながら、このような従来の新聞紙面を制作する場合には、以下のような問題がある。
【０００５】
すなわち、どの地方紙の紙面に共通して掲載される共通素材でも、各地方紙の特徴を出すために、同一素材でも紙面間で配置位置が異なっていたり、記事の分量が調整されたり、写真の大きさがトリミングが調整されたりする場合がある。
【０００６】
このように同一素材に対する複数の地方紙間での配置状態の相違を把握する場合、従来、紙面の刷り出力を行い、出力された紙面をオペレータが目視で比較することによりなされている。しかしながら、比較するケース（例えば、地方紙Ａと地方紙Ｂとの比較、あるいは地方紙Ｂと地方紙Ｃとの比較など）が組み合わせの数だけ存在することからオペレータの負担が大きく、作業効率の低下を招くという問題がある。
【０００７】
本発明はこのような事情に鑑みてなされたものであり、複数紙面上にそれぞれ配置された同一素材の配置状態の相違を検出し、もってオペレータの作業効率の向上を図ることが可能な新聞紙面の制作システムおよび同一素材差異検出方法、ならびに同一素材差異検出プログラムを提供することを目的とする。
【０００８】
【課題を解決するための手段】
上記の目的を達成するために、本発明では、以下のような手段を講じる。
【０００９】
本発明は、新聞紙面に掲載する少なくとも記事、画像、写真からなる複数の素材を各紙面に割り当て、前記割り当てられた素材が各紙面上に配置された状態の情報を含む紙面データを作成し、作成した紙面データを降版し、新聞紙面を制作する新聞紙面の制作システム、この制作システムに適用される同一素材差異検出方法、ならびに同一素材差異検出プログラムである。
【００１０】
すなわち、本願の請求項１の発明は、記憶装置と、素材配置手段と、相違検出方法とを備えた新聞紙面の制作システムである。素材配置手段は、オペレータからの操作入力に従って、新聞紙面に掲載する少なくとも記事、画像、写真からなる複数の素材を各紙面に割り当て、割り当てられた素材が各紙面上に配置された状態の情報を含む紙面データを作成し、作成した紙面データを記憶装置に格納する。相違検出手段は、記憶装置に格納された複数の紙面データに基づいて、複数の紙面データに対応する各紙面上にそれぞれ配置された同一素材を検出し、同一素材が記事である場合には、配置文字列量の相違を検出し、同一素材が画像または写真である場合には、大きさ、トリミング枠、および色区分のうちの何れかの相違を検出する。
また、本願の請求項２の発明は、複数の紙面データに基づいて、複数の紙面データに対応する各紙面上にそれぞれ配置された同一素材を検出し、同一素材が記事である場合には、配置文字列量の相違を検出し、同一素材が画像または写真である場合には、大きさ、トリミング枠、および色区分のうちの何れかを検出するようにした新聞紙面の同一素材差異検出方法である。
更に、本願の請求項３の発明は、複数の新聞紙面上に配置された同一素材の配置状態の相違を検出するコンピュータ読み取り可能なプログラムであって、新聞紙面に掲載する少なくとも記事、画像、写真からなる複数の素材が紙面上に配置された状態の情報を含む紙面データを格納する記憶装置から、複数の紙面データを取得する機能、取得された複数の紙面データに基づいて、複数の紙面データに対応する各紙面上にそれぞれ配置された同一素材を検出する機能、検出された同一素材が画像もしくは写真であるか、あるいは記事であるかを判別する機能、判別された同一素材が記事である場合には、配置文字列量の相違を検出し、同一素材が画像または写真である場合には、大きさ、トリミング枠、および色区分のうちの何れかの相違を検出する機能をコンピュータに実現させるための新聞紙面の同一素材差異検出プログラムである。
【００１１】
従って、本発明においては、以上のような手段を講じることにより、複数の紙面を対象として、同一素材の配置状態の相違を検出することができる。オペレータは、この結果に基づいて、同一素材の配置状態の相違を把握することができるので、オペレータの負担を低減し、もって作業効率の向上を図ることが可能となる。
【００１２】
【発明の実施の形態】
以下に、本発明の実施の形態について図面を参照しながら説明する。
【００１３】
本発明の実施の形態を図１から図３４を用いて説明する。
【００１４】
図１は、本発明の実施の形態に係る新聞紙面の同一素材差異検出方法を適用した新聞紙面制作システムの構成例を示す機能ブロック図である。
【００１５】
すなわち、本発明の実施の形態に係る新聞紙面の同一素材差異検出方法を適用した新聞紙面制作システムは、例えば磁気ディスク等の記憶媒体に記憶された同一素材差異検出プログラムを読み込み、この同一素材差異検出プログラムによって動作が制御されるコンピュータによって実現されるものであって、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とを備えている。
【００１６】
記事入力／校正端末１は、記事の入力および校正を行うための端末であり、オペレータから記事情報の入力を受け付け、記事サーバ２に出力する。また、記事サーバ２に蓄積されている記事情報を取得して、その記事情報に基づく校正入力をオペレータから受け付け、校正された記事情報を記事サーバ２に再び出力する。
【００１７】
記事サーバ２は、記事入力／校正端末１から入力された記事情報、または、図示しない通信回線を経由して通信社などから入力された記事情報を受信し、蓄積する。また、記事入力／校正端末１からの校正要求により、蓄積している記事情報の中から、要求のあった記事情報を記事入力／校正端末１に出力する。更に、オペレータの指示などに従って、蓄積している記事情報を組版編集サーバ６に出力する。
【００１８】
画像入力／加工端末３は、画像データの入力および画像データの加工を行うための端末であり、スキャナやディスプレイ等を備えている。このような画像入力／加工端末３は、オペレータから画像データの入力を受け付け、入力された画像データを画像サーバ４に出力する。また、オペレータから入力された画像データの加工操作入力に基づいて画像データの加工を行い、加工した画像データを画像サーバ４に出力する。なお、画像データを加工する場合には、画像入力／加工端末３に入力されている画像データを直接加工することも、また、画像サーバ４に蓄積されている画像データから所定の画像データを取得し、その画像データを加工することのいずれも可能としている。
【００１９】
画像サーバ４は、画像入力／加工端末３から出力された画像データを取得し、蓄積する。また、画像入力／加工端末３からの要求により、蓄積している画像データの中から、要求のあった画像データを画像入力／加工端末３に出力する。更に、オペレータの指示などに従って、蓄積している画像データを組版編集サーバ６に出力する。
【００２０】
組版端末５は、例えばワークステーションやパーソナルコンピュータで構成しており、操作入力部５１と、操作情報出力部５２と、同一素材配置状態差異検出部５３とを備え、更に、同一素材配置状態差異検出部５３によって作成された内容相違データ５４を保持している。
【００２１】
操作入力部５１は、オペレータから、記事、画像、および見出しのレイアウト編集を行うための操作入力を受け付け、入力された操作入力に基づいて操作情報を作成する。操作情報出力部５２は、操作入力部５１によって作成された操作情報を組版編集サーバ６に出力する。
【００２２】
同一素材配置状態差異検出部５３は、比較対照とする各紙面の紙面データ７１（例えば、紙面データ７１（１）と紙面データ７１（２））を紙面データ格納部７から取得し、各紙面データ７１に基づいて、各紙面に互いに配置された同一の素材に対して配置状態の相違を検出する。そして、この検出結果に基づいて、内容相違データ５４を作成する。なお、ここでいう配置状態とは、同一素材が記事である場合には、文字列量であり、同一素材が画像または写真である場合には、大きさやトリミング枠に相当する。
【００２３】
図２から図６のフローチャートに示す動作は、同一素材配置状態差異検出部５３が、紙面Ｓ（１）と紙面Ｓ（２）とについて比較し、この比較結果に基づいて内容相違データ５４を作成する場合の例を示すものである。
【００２４】
図７から図１５はこのような紙面データ７１（１）の一例を示すデータ構成図である。
【００２５】
すなわち、紙面データ７１（１）は、図７に示すような管理情報と、図８から図１４に示すような各素材情報と、図１５に示すような実データとからなっている。
【００２６】
管理情報は、図７に示すように、掲載年月日７１ＫＮ（１）、面名７１ＭＮ（１）、版名７１ＨＮ（１）、印刷ページ番号７１ＰＧ（１）、体裁情報（組方向、段数、字詰、文字サイズ、段間、行間など）７１ＴＳ（１）、紙面Ｘ方向寸法７１ＰＸ（１）、紙面Ｙ方向寸法７１ＰＹ（１）の各データからなっている。
【００２７】
素材情報は、紙面への配置が検討されている全ての素材毎に存在するものである。したがって、例えば、記事ａ、画像ｂ、記事ｃ、画像ｅ、記事ｆ、画像ｇ、記事ｈの各素材情報の配置が検討されている紙面Ｓ（１）の場合においては、図８から図１４に示すように、これら各素材毎に素材情報が存在する。
【００２８】
このような素材情報のデータ構成は、記事の場合、＃１素材情報（記事ａ）を対象とした図８に示すように、素材種別７１ＳＢ（１＃１）、素材ＩＤ番号７１ＩＤ（１＃１）、配置情報７１ＦＬ（１＃１）、配置位置情報７１ＬＸ（１＃１）、縦横寸法７１ＳＺ（１＃１）、仮見出７１ＫＭ（１＃１）、記事ａのテキスト格納アドレス情報７１ＡＤ（１＃１）、記事ａのレイアウト済テキスト格納アドレス情報７１ＢＤ（１＃１）を持つ。
【００２９】
一方、画像の場合、＃２素材情報（画像ｂ）を対象とした図９に示すように、更に色区分、拡大縮小率、トリミング基準位置、トリミング枠について定義した画像加工情報７１（１＃２）を持っている。
【００３０】
記事に関する素材情報である＃３素材情報（記事ｃ）、＃５素材情報（記事ｆ）、および＃７素材情報（記事ｈ）は、図１０、図１２、および図１４に示すように、図８と同様のデータ構成をしている。また、画像に関する素材情報である＃４素材情報（画像ｅ）および＃６素材情報（画像ｇ）は、図１１および図１３に示すように、図９と同様のデータ構成をしている。
【００３１】
実データは、図１５に示すように、素材情報（＃ｎ）毎の記事のテキスト７１ＴＸ（１＃ｎ）、レイアウト済テキスト７１ＬＸ（１＃ｎ）、画像の表示画データ７１ＨＩ（１＃ｎ）、画像の実画像データ７１ＲＩ（１＃ｎ）からなっている。図１６は、このような紙面データ７１（１）に基づいて実現される紙面レイアウトの一例を示す模式図である。なお、図１７から図２６にそのデータ構成を示す紙面データ７１（２）もまた、図７から図１５に示す紙面データ７１（１）のいずれかと同様な構成をしている。図２７は、このような紙面データ７１（２）に基づいて実現される紙面レイアウトの一例を示す模式図である。
【００３２】
図２８から図３２は内容相違データ５４の一例を示すデータ構成図である。すなわち、内容相違データ５４は、図２８に示すような管理情報と、図２９から図３２に示すような各共通素材情報とからなっている。
【００３３】
内容相違データ５４における管理情報は、図２８に示すように、紙面Ｓ（１）に関する掲載年月日５４ＫＮ（１）、面名５４ＭＮ（１）、版名５４ＨＮ（１）、紙面Ｘ方向寸法５４ＰＸ（１）、紙面Ｙ方向寸法５４ＰＹ（１）の各データと、紙面Ｓ（２）に関する掲載年月日５４ＫＮ（２）、面名５４ＭＮ（２）、版名５４ＨＮ（２）、紙面Ｘ方向寸法５４ＰＸ（２）、紙面Ｙ方向寸法５４ＰＹ（２）の各データからなっている。
【００３４】
内容相違データ５４における共通素材情報は、比較対照紙面である紙面Ｓ（１）と紙面Ｓ（２）とに共通して配置される同一素材に対して存在するものである。紙面Ｓ（１）では、図８から図１４に示すように、記事ａ、画像ｂ、記事ｃ、画像ｅ、記事ｆ、画像ｇ、記事ｈが配置される。一方、紙面Ｓ（２）では、図１８から図２５に示すように、記事ａ、画像ｂ、記事ｆ、画像ｇ、記事ｐ、記事ｋ、画像ｍ、記事ｎが配置される。したがって、紙面Ｓ（１）と紙面Ｓ（２）とに共通して配置される共通素材である記事ａ、画像ｂ、記事ｆ、および画像ｇが、図２９、図３０、図３１、および図３２に示すように内容相違データ５４の素材情報として存在する。
【００３５】
図２９および図３１に示すような記事の共通素材情報の場合、共通素材情報（＃ｗ）毎に、素材種別５４ＳＢ（＃ｗ）、素材ＩＤ番号５４ＩＤ（＃ｗ）、仮見出５４ＫＭ（＃ｗ）、配置行数の相違の有無５４ＧＳ０（＃ｗ）、紙面Ｓ（１）での配置行数５４ＧＳ１（＃ｗ）、および紙面Ｓ（２）での配置行数５４ＧＳ２（＃ｗ）を備えている。
【００３６】
また、図３０および図３２に示すような画像の共通素材情報の場合、共通素材情報（＃ｗ）毎に、素材種別５４ＳＢ（＃ｗ）、素材ＩＤ番号５４ＩＤ（＃ｗ）、仮見出５４ＫＭ（＃ｗ）、画像のオリジナル寸法５４ＯＲ（＃ｗ）、色区分の相違の有無５４ＣＬ０（＃ｗ）、紙面Ｓ（１）での色区分５４ＣＬ１（＃ｗ）、紙面Ｓ（２）での色区分５４ＣＬ２（＃ｗ）、拡大縮小率の相違の有無５４ＺＭ０（＃ｗ）、紙面Ｓ（１）での拡大縮小率５４ＺＭ１（＃ｗ）、紙面Ｓ（２）での拡大縮小率５４ＺＭ２（＃ｗ）、トリミング基準位置の相違の有無５４ＴＰ０（＃ｗ）、紙面Ｓ（１）でのトリミング基準位置５４ＴＰ１（＃ｗ）、紙面Ｓ（２）でのトリミング基準位置５４ＴＰ２（＃ｗ）、トリミング枠の相違の有無５４ＴＭ０（＃ｗ）、紙面Ｓ（１）でのトリミング枠５４ＴＭ１（＃ｗ）、紙面Ｓ（２）でのトリミング枠５４ＴＭ２（＃ｗ）を備えている。
【００３７】
組版編集サーバ６は、操作情報出力部５２から出力された操作情報に基づいて紙面データ７１の編集作業を行い、編集済の紙面データ７１を紙面データ格納部７に格納したり、あるいは紙面データ格納部７に格納されている紙面データ７１を取り出し、この紙面データ７１を操作情報出力部５２から出力された操作情報に基づいて編集し、再び紙面データ格納部７に格納させる。
【００３８】
紙面データ格納部７は、組版編集サーバ６から出力された紙面データ７１を格納する。また、格納している紙面データ７１を読み出すように組版編集サーバ６側から要求された場合には、紙面データ７１を読み出して組版編集サーバ６に出力する。
【００３９】
出力サーバ８は、組版端末５からの大刷／版下出力指示にしたがって、組版編集サーバ６から出力された紙面データ７１をドットデータに展開してプリンタ／プロッタ９に出力する。
【００４０】
プリンタ／プロッタ９は、出力サーバ８からドットデータを取得し、取得したドットデータに基づいて大刷や版下を出力する。
【００４１】
次に、以上のように構成した本発明の実施の形態に係る新聞紙面の同一素材差異検出方法を適用した新聞紙面制作システムの動作について、図２から図６に示すフローチャートを用いて説明する。
【００４２】
まず、オペレータが組版端末５の操作入力部５１から比較対照とする紙面名として紙面Ｓ（１）および紙面Ｓ（２）を入力すると、対応する紙面である紙面Ｓ（１）の紙面データ７１（１）、および紙面Ｓ（２）の紙面データ７１（２）が紙面データ格納部７から同一素材配置状態差異検出部５３にそれぞれ読み込まれる（Ｓ０１、Ｓ０２）。
【００４３】
次に、同一素材配置状態差異検出部５３によって、内容相違データ５４が初期化され（Ｓ０３）、紙面データ７１（１）の管理情報のうちの掲載年月日７１ＫＮ（１）、面名７１ＭＮ（１）、版名７１ＨＮ（１）、紙面Ｘ方向寸法７１ＰＸ（１）、紙面Ｙ方向寸法７１ＰＹ（１）が、内容相違データ５４の管理情報の掲載年月日５４ＫＮ（１）、面名５４ＭＮ（１）、版名５４ＨＮ（１）、紙面Ｘ方向寸法５４ＰＸ（１）、紙面Ｙ方向寸法５４ＰＹ（１）として転記される（Ｓ０４）。同様に、紙面データ７１（２）の管理情報のうちの掲載年月日７１ＫＮ（２）、面名７１ＭＮ（２）、版名７１ＨＮ（２）、紙面Ｘ方向寸法７１ＰＸ（２）、紙面Ｙ方向寸法７１ＰＹ（２）もまた、内容相違データ５４の管理情報の掲載年月日５４ＫＮ（２）、面名５４ＭＮ（２）、版名５４ＨＮ（２）、紙面Ｘ方向寸法５４ＰＸ（２）、紙面Ｙ方向寸法５４ＰＹ（２）として転記される（Ｓ０５）
そして、紙面Ｓ（１）および紙面Ｓ（２）のそれぞれ先頭の素材情報が対象とされ（Ｓ０６、Ｓ０７）、紙面Ｓ（１）の対象素材情報と、紙面Ｓ（２）の対象素材情報とが比較される。そして、両素材情報の素材種別７１ＳＢが一致し、かつ両素材情報の素材ＩＤ番号７１ＩＤが一致する場合（Ｓ０８：Ｙｅｓ）には、後述するステップＳ１１の処理がなされる。
【００４４】
一方、両素材の素材種別７１ＳＢあるいは素材ＩＤ番号７１ＩＤの何れかが一致しない場合（Ｓ０８：Ｎｏ）であって、かつ紙面Ｓ（２）の全ての素材情報に対して処理がなされた場合（Ｓ０９：Ｙｅｓ）には、後述するステップＳ２２の処理がなされる。
【００４５】
ステップＳ９において、紙面Ｓ（２）に未だに処理されていない素材情報がある場合（Ｓ０９：Ｎｏ）には、紙面Ｓ（２）における次の素材情報が対象とされ（Ｓ１０）、ステップＳ０８の処理がなされる。
【００４６】
ステップＳ１１では、紙面データ７１に基づいて、対象としている素材情報の素材種別７１ＳＢが「記事」の場合（Ｓ１１：Ｙｅｓ）には、紙面データ７１（１）の素材種別７１ＳＢ（１）、素材ＩＤ番号７１ＩＤ（１）、仮見出７１ＫＭ（１）が、内容相違データ５４の共通素材情報の素材種別５４ＳＢ、素材ＩＤ番号５４ＩＤ、仮見出５４ＫＭとして転記される（Ｓ１２）。
【００４７】
更に、紙面データ７１（１）の縦横寸法７１ＳＺ（１）に基づいて、配置行数５４ＧＳ１が求められ、内容相違データ５４に書き込まれる（Ｓ１３）。同様に、紙面データ７１（２）の縦横寸法７１ＳＺ（２）に基づいて、配置行数５４ＧＳ２が求められ、内容相違データ５４に書き込まれる（Ｓ１４）。そして、ステップＳ１３で書き込まれた紙面Ｓ（１）の当該素材情報の配置行数５４ＧＳ１と、ステップＳ１４で書き込まれた紙面Ｓ（２）の当該素材情報の配置行数５４ＧＳ２とに基づいて配置行数に相違が有るか無いかが判定され、判定結果が「配置行数の相違の有無」ＧＳ０に書き込まれ（Ｓ１５）、後述するステップＳ２１の処理がなされる。
【００４８】
一方、ステップＳ１１において、対象としている素材情報の素材種別７１ＳＢが「記事」ではない場合（Ｓ１１：Ｎｏ）には、更にこの素材種別７１ＳＢが「画像」で有るか無いかが判定される（Ｓ１６）。そして、この素材種別７１ＳＢが「画像」でない場合（Ｓ１６：Ｎｏ）にもまた、後述するステップＳ２１の処理がなされる。一方、この素材種別７１ＳＢが「画像」である場合（Ｓ１６：Ｙｅｓ）には、紙面Ｓ（１）の紙面データ７１（１）の素材情報の素材種別７１ＳＢ（１）、素材ＩＤ番号７１ＩＤ（１）、仮見出７１ＫＭ（１）が、内容相違データ５４の共通素材情報の素材種別５４ＳＢ、素材ＩＤ番号５４ＩＤ、仮見出５４ＫＭとして転記される（Ｓ１７）。
【００４９】
次に、紙面データ７１（１）の縦横寸法７１ＳＺ（１）に基づいて「画像のオリジナル寸法」５４ＯＲが求められ、内容相違データ５４に書き込まれると共に、紙面データ７１（１）の画像加工情報７１ＧＫ（１）に基づいて内容相違データ５４の色区分５４ＣＬ１、拡大縮小率５４ＺＭ１、トリミング基準位置５４ＴＰ１、トリミング枠５４ＴＭ１がそれぞれ求められ、内容相違データ５４に書き込まれる（Ｓ１８）。同様に、紙面データ７１（２）の縦横寸法７１ＳＺ（２）に基づいて「画像のオリジナル寸法」５４ＯＲが求められ、内容相違データ５４に書き込まれると共に、紙面データ７１（２）の画像加工情報７１ＧＫ（２）に基づいて内容相違データ５４の色区分５４ＣＬ２、拡大縮小率５４ＺＭ２、トリミング基準位置５４ＴＰ２、トリミング枠５４ＴＭ２がそれぞれ求められ、内容相違データ５４に書き込まれる（Ｓ１９）。
【００５０】
なお、トリミング基準位置５４ＴＰ１とは、トリミング枠５４ＴＭ１の画像の原点Ｇのことであって、トリミング基準位置５４ＴＰ１が「左上」の場合には、図３３（ａ）に示すように、画像の左上を原点Ｇとして、図中右側に向かうＸ軸と、図中下側に向かうＹ軸とからなる。この場合、トリミング枠５４ＴＭ１として「Ｘ方向＝６０％、Ｙ方向＝５０％」であれば、図３３（ａ）に示すように原点ＧからみてＸ軸方向の全長に対する６０％の座標と、Ｙ軸方向の全長に対する５０％の座標とによってトリミング枠は形成される。
【００５１】
一方、トリミング基準位置５４ＴＰ１が「中心」の場合には、図３３（ｂ）に示すように、画像の中心を原点Ｇとして、図中左右側に向かうＸ軸と、図中上下側に向かうＹ軸とからなる。この場合、トリミング枠５４ＴＭ１として「Ｘ方向＝６０％、Ｙ方向＝５０％」であれば、図３３（ｂ）に示すように原点Ｇを中心としてＸ軸方向の全長に対する６０％の座標と、Ｙ軸方向の全長に対する５０％の座標とによってトリミング枠は形成される。
【００５２】
そして、内容相違データ５４に書き込まれた色区分５４ＣＬ１と色区分５４ＣＬ２との内容に相違が有るか否かが比較され、その比較結果が「色区分の相違の有無」５４ＣＬ０に書き込まれる。また、内容相違データ５４に書き込まれた拡大縮小率５４ＺＭ１と拡大縮小率５４ＺＭ２との内容に相違が有るか否かが比較され、その比較結果が「拡大縮小率の相違の有無」５４ＺＭＬ０に書き込まれる。更に、内容相違データ５４に書き込まれたトリミング基準位置５４ＴＰ１とトリミング基準位置５４ＴＰ２との内容に相違が有るか否かが比較され、その比較結果が「トリミング基準位置の相違の有無」５４ＴＰ０に書き込まれる。更にまた、内容相違データ５４に書き込まれたトリミング枠５４ＴＭ１とトリミング枠５４ＴＭ２との内容に相違が有るか否かが比較され、その比較結果が「トリミング枠の相違の有無」５４ＴＭ０に書き込まれる（Ｓ２０）。
【００５３】
このようにして、紙面データ７１（１）の全ての素材情報に対して処理がなされた場合（Ｓ２１：Ｙｅｓ）には、内容相違データ５４に基づいて、紙面Ｓ（１）と紙面Ｓ（２）とを対象として、図３４に示すように、同一素材の配置状態の相違が認識可能なように表示され（Ｓ２４）、差異検出処理を終了する。
【００５４】
図３４において、図中太枠で囲まれた領域（記事ａ１／３，記事ａ２／３，記事ａ３／３，記事ｆ１／２）は、紙面Ｓ（１）、紙面Ｓ（２）において相違なく配置された素材情報であることを示している。また、図中点線で囲まれた領域（記事ｆ２／２）は、紙面Ｓ（１）のみに配置され、紙面Ｓ（２）には配置されていない素材情報であることを示している。更に、図中斜線で表された領域（画像ｂ、画像ｇ）は、画像加工情報に相違があることを示している。
【００５５】
オペレータは、図３４に示すように表示された結果を参照することによって、同一素材の配置状態の相違を容易に把握することができるようになる。これによって、オペレータの負担の低減化が図られる。
【００５６】
一方、紙面データ７１（１）の中で未だに処理がなされていない素材情報がある場合（Ｓ２１：Ｎｏ）には、紙面データ７１（１）の次の素材情報が対象とされ（Ｓ２２）、かつ紙面データ７１（２）の先頭の素材情報が対象とされ（Ｓ２３）、ステップＳ８の処理が行われる。
【００５７】
以上説明したように同一素材配置差異検出部５３が動作することによって、比較対照としている紙面Ｓ（１）の紙面データ７１（１）と、紙面Ｓ（２）の紙面データ７１（２）との全ての素材情報について共通素材情報が抽出され、さらにその抽出された素材情報については、それぞれの配置状態に相違が有るか否かが判定される。更に、判定結果に基づいて、共通素材情報に関する配置状態相違の有無が分かるように表示される。
【００５８】
なお、本発明の実施の形態に係る新聞紙面の同一素材差異検出方法を適用した新聞紙面制作システムは、記憶媒体に格納した同一素材差異検出プログラムをコンピュータに読み込ませることで実現させることができる。
【００５９】
ここで本発明における記憶媒体としては、磁気ディスク、フロッピーディスク（登録商標）、ハードディスク、光ディスク（ＣＤ−ＲＯＭ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【００６０】
また、記憶媒体からコンピュータにインストールされた同一素材差異検出プログラムの指示に基づきコンピュータ上で稼働しているＯＳ（オペレーティングシステム）や、データベース管理ソフト、ネットワークソフト等のＭＷ（ミドルウェア）等が本発明の実施の形態を実現するための各処理の一部を実行してもよい。
【００６１】
さらに、本発明における記憶媒体は、コンピュータと独立した媒体に限らず、ＬＡＮやインターネット等により伝送された同一素材差異検出プログラムをダウンロードして記憶又は一時記憶した記憶媒体も含まれる。
【００６２】
また、記憶媒体は１つに限らず、複数の媒体から本発明の実施の形態における処理が実行される場合も本発明における記憶媒体に含まれ、媒体構成は何らの構成であってもよい。
【００６３】
なお、本発明におけるコンピュータは、記憶媒体に記憶された同一素材差異検出プログラムに基づき、本発明の実施の形態における各処理を実行するものであって、パソコン等の１つからなる装置、複数の装置がネットワーク接続されたシステム等の何れの構成であってもよい。
【００６４】
また、本発明におけるコンピュータとは、パソコンに限らず、情報処理機器に含まれる演算処理装置、マイコン等も含み、プログラムによって本発明の機能を実現することが可能な機器、装置を総称している。
【００６５】
上述したように、本発明の実施の形態に係る新聞紙面の同一素材差異検出方法を適用した新聞紙面制作システムにおいては、上記のような作用により、比較対照としている紙面Ｓ（１）の紙面データ７１（１）と、紙面Ｓ（２）の紙面データ７１（２）との全ての素材情報について、同一素材情報を抽出することができる。
【００６６】
また、その抽出された素材情報については、それぞれの配置状態に相違が有るか否かを判定することができる。更に、この判定結果を、同一素材情報に関する配置状態相違の有無が分かるように表示することによって、オペレータは、この表示結果を参照することによって、同一素材情報の配置状態の相違を容易に把握することができるようになるので、オペレータの負担を低減することが可能となる。
【００６７】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００６８】
たとえば、上記実施の形態では、同一素材配置状態相違検出部５３を組版端末５に備えるとともに、内容相違データ５４をそれぞれ組版端末５が保持する場合を例に説明したが、本発明はこのような構成に限るものではなく、同一素材配置状態相違検出部５３を組版編集サーバ６に備えるとともに、内容相違データ５４を組版編集サーバ６が保持するようにしても良い。あるいは、同一素材配置状態相違検出部５３を組版端末５に備えるとともに、内容相違データ５４を組版編集サーバ６が保持するようにしても良い。また逆に、同一素材配置状態相違検出部５３を組版編集サーバ６に備えるとともに、内容相違データ５４を組版端末５が保持するようにしても良い。このような構成とすることによっても、上記実施の形態で説明したものと同等の効果を奏することができる。
【００６９】
また、上記実施の形態では、２つの紙面、すなわち紙面Ｓ（１）と紙面Ｓ（２）とを比較対照として同一素材の配置状態相違を検出する場合を一例として説明したが、本発明は、２つの紙面のみならず、３つ以上の紙面を対象として同一素材の配置状態相違を検出することも、同様にして行うことができる。
【００７０】
【発明の効果】
以上説明したように、本発明によれば、複数紙面上に配置された同一素材の配置状態の相違を検出することができる。
【００７１】
以上により、オペレータの作業効率の向上を図ることが可能な新聞紙面の制作システムおよび同一素材差異検出方法、ならびにプログラムを実現することができる。
【図面の簡単な説明】
【図１】本発明の実施の形態に係る新聞紙面の同一素材差異検出方法を適用した新聞紙面制作システムの構成例を示す機能ブロック図
【図２】同一素材配置差異検出部による内容相違データ作成時の動作を示すフローチャート（その１）
【図３】同一素材配置差異検出部による内容相違データ作成時の動作を示すフローチャート（その２）
【図４】同一素材配置差異検出部による内容相違データ作成時の動作を示すフローチャート（その３）
【図５】同一素材配置差異検出部による内容相違データ作成時の動作を示すフローチャート（その４）
【図６】同一素材配置差異検出部による内容相違データ作成時の動作を示すフローチャート（その５）
【図７】紙面データ７１（１）の管理情報の一例を示すデータ構成図
【図８】紙面データ７１（１）の＃１素材情報（記事ａの場合）の一例を示すデータ構成図
【図９】紙面データ７１（１）の＃２素材情報（画像ｂの場合）の一例を示すデータ構成図
【図１０】紙面データ７１（１）の＃３素材情報（記事ｃの場合）の一例を示すデータ構成図
【図１１】紙面データ７１（１）の＃４素材情報（画像ｅの場合）の一例を示すデータ構成図
【図１２】紙面データ７１（１）の＃５素材情報（記事ｆの場合）の一例を示すデータ構成図
【図１３】紙面データ７１（１）の＃６素材情報（画像ｇの場合）の一例を示すデータ構成図
【図１４】紙面データ７１（１）の＃７素材情報（記事ｈの場合）の一例を示すデータ構成図
【図１５】紙面データ７１（１）の実データの一例を示すデータ構成図
【図１６】紙面データ７１（１）に基づいて実現される紙面レイアウトの一例を示す模式図
【図１７】紙面データ７１（２）の管理情報の一例を示すデータ構成図
【図１８】紙面データ７１（２）の＃１素材情報（記事ａの場合）の一例を示すデータ構成図
【図１９】紙面データ７１（２）の＃２素材情報（画像ｂの場合）の一例を示すデータ構成図
【図２０】紙面データ７１（２）の＃３素材情報（記事ｆの場合）の一例を示すデータ構成図
【図２１】紙面データ７１（２）の＃４素材情報（画像ｇの場合）の一例を示すデータ構成図
【図２２】紙面データ７１（２）の＃５素材情報（記事ｐの場合）の一例を示すデータ構成図
【図２３】紙面データ７１（２）の＃６素材情報（記事ｋの場合）の一例を示すデータ構成図
【図２４】紙面データ７１（２）の＃７素材情報（画像ｍの場合）の一例を示すデータ構成図
【図２５】紙面データ７１（２）の＃８素材情報（記事ｎの場合）の一例を示すデータ構成図
【図２６】紙面データ７１（２）の実データの一例を示すデータ構成図
【図２７】紙面データ７１（２）に基づいて実現される紙面レイアウトの一例を示す模式図
【図２８】内容相違データの管理情報の一例を示すデータ構成図
【図２９】内容相違データの＃１素材情報（記事ａ）の一例を示すデータ構成図
【図３０】内容相違データの＃２素材情報（画像ｂ）の一例を示すデータ構成図
【図３１】内容相違データの＃３素材情報（記事ｆ）の一例を示すデータ構成図
【図３２】内容相違データの＃４素材情報（画像ｇ）の一例を示すデータ構成図
【図３３】トリミング基準位置とトリミング枠との関係を説明するための概念図
【図３４】複数紙面における同一素材の配置状態の相違を表すレイアウト例を示す模式図
【符号の説明】
１…記事入力／校正端末
２…記事サーバ
３…画像入力／加工端末
４…画像サーバ
５…組版端末
６…組版編集サーバ
７…紙面データ格納部
８…出力サーバ
９…プリンタ／プロッタ
５１…操作入力部
５２…操作情報出力部
５３…同一素材配置状態相違検出部
５４…内容相違データ
７１…紙面データ
【図１】
0003923823.tif 000002
【図２】
0003923823.tif 000003
【図３】
0003923823.tif 000004
【図４】
0003923823.tif 000005
【図５】
0003923823.tif 000006
【図６】
0003923823.tif 000007
【図７】
0003923823.tif 000008
【図８】
0003923823.tif 000009
【図９】
0003923823.tif 000010
【図１０】
0003923823.tif 000011
【図１１】
0003923823.tif 000012
【図１２】
0003923823.tif 000013
【図１３】
0003923823.tif 000014
【図１４】
0003923823.tif 000015
【図１５】
0003923823.tif 000016
【図１６】
0003923823.tif 000017
【図１７】
0003923823.tif 000018
【図１８】
0003923823.tif 000019
【図１９】
0003923823.tif 000020
【図２０】
0003923823.tif 000021
【図２１】
0003923823.tif 000022
【図２２】
0003923823.tif 000023
【図２３】
0003923823.tif 000024
【図２４】
0003923823.tif 000025
【図２５】
0003923823.tif 000026
【図２６】
0003923823.tif 000027
【図２７】
0003923823.tif 000028
【図２８】
0003923823.tif 000029
【図２９】
0003923823.tif 000030
【図３０】
0003923823.tif 000031
【図３１】
0003923823.tif 000032
【図３２】
0003923823.tif 000033
【図３３】
0003923823.tif 000034
【図３４】
0003923823.tif 000035